(57)【特許請求の範囲】
【請求項１】
近距離無線通信を行う近距離無線通信部と、
非接触で電力を送電する送電装置から送信された前記送電に関する送電情報を受信する通信部と、
前記通信部が前記送電情報を受信したときに、前記近距離無線通信部への通電を制御する制御部と、
を備え、
前記制御部は、
前記送電情報が前記電力を送電していることを表している場合、
前記近距離無線通信部への通電を遮断する、
通信装置。
【請求項２】
前記送電装置から送電された前記電力を受電する第１の受電部と、
二次電池と、
をさらに備え、
前記制御部は、
前記第１の受電部が受電した前記電力の前記二次電池への充電を制御する、
請求項１に記載の通信装置。
【請求項３】
前記制御部は、
前記通信部が前記送電情報を受信したときに、前記第１の受電部から前記近距離無線通信部への通電を遮断する、
請求項２に記載の通信装置。
【請求項４】
前記近距離無線通信部が前記近距離無線通信を行う際に使用する第２の受電部、
をさらに備え、
前記制御部は、
前記通信部が前記送電情報を受信したときに、前記第２の受電部から前記近距離無線通信部への通電を遮断する、
請求項１または請求項２に記載の通信装置。
【請求項５】
前記制御部は、
前記送電情報が前記電力を送電していないことを表している場合、
前記近距離無線通信部への通電を遮断しない状態に制御する、
請求項１から請求項４のいずれか１の項に記載の通信装置。
【請求項６】
前記制御部は、
前記通信部が前記送電情報を受信しない状態になったときに、前記近距離無線通信部への通電を遮断しない状態に制御する、
請求項１から請求項５のいずれか１の項に記載の通信装置。
【請求項７】
前記制御部は、
前記送電装置が前記電力を送電することができる電力送電範囲内に前記通信装置が存在するときに、前記近距離無線通信部への通電を遮断する、
請求項１から請求項６のいずれか１の項に記載の通信装置。
【請求項８】
前記制御部は、
前記送電装置が送電している前記電力の大きさが予め定めた大きさ以上である場合に、前記近距離無線通信部への通電を遮断する、
請求項１から請求項７のいずれか１の項に記載の通信装置。
【請求項９】
前記制御部は、
前記送電装置が送電している前記電力の大きさが予め定めた大きさ以下である場合に、前記近距離無線通信部への通電を遮断しない状態に制御する、
請求項１から請求項８のいずれか１の項に記載の通信装置。
【請求項１０】
前記近距離無線通信部に電力を供給する経路の電気的な接続を遮断する接続遮断部、
をさらに備え、
前記制御部は、
前記接続遮断部を開状態に制御することによって、前記近距離無線通信部への通電を遮断する状態に制御し、
前記接続遮断部を閉状態に制御することによって、前記近距離無線通信部への通電を遮断しない状態に制御する、
請求項１から請求項９のいずれか１の項に記載の通信装置。
【請求項１１】
近距離無線通信を行う近距離無線通信部と、非接触で電力を送電する送電装置から送信された前記送電に関する送電情報を受信する通信部と、制御部と、を備えた通信装置の制御部としてコンピュータを機能させるための制御プログラムであって、
前記コンピュータを、
前記通信部が前記送電情報を受信したときに、前記近距離無線通信部への通電を制御する前記制御部として機能させ、
前記送電情報が前記電力を送電していることを表している場合、前記近距離無線通信部への通電を遮断させる、
制御プログラム。
【請求項１２】
非接触で電力を送電することができる電力送電範囲よりも通信距離が長い第１の通信部、を備え、前記第１の通信部によって前記電力の送電に関する送電情報を送信する送電装置と、
近距離無線通信を行う近距離無線通信部と、前記送電装置から送信された前記送電情報を受信する第２の通信部と、前記第２の通信部が前記送電情報を受信したときに、前記近距離無線通信部への通電を制御する制御部と、を備えた通信装置と、
を備え、
前記制御部は、
前記送電情報が前記電力を送電していることを表している場合、
前記近距離無線通信部への通電を遮断する、
非接触給電システム。
【発明の詳細な説明】
【技術分野】
【０００１】
本発明のいくつかの態様は、通信装置、制御プログラム、および非接触給電システムに関する。
本願は、２０１６年８月５日に、日本に出願された特願２０１６−１５４８５６号に基づき優先権を主張し、その内容をここに援用する。
【背景技術】
【０００２】
従来から、非接触（ワイヤレス）で電力の送電（給電）を行うワイヤレス電力伝送装置（送電装置）と、ワイヤレス電力伝送装置から送電された電力を受電して使用する端末装置などの通信装置（受電装置）とから構成される非接触給電システムが実用化されている。また、近年では、非接触給電システムを構成する端末装置が多機能化し、ＮＦＣ（Ｎｅａｒ  Ｆｉｅｌｄ  ｒａｄｉｏ  Ｃｏｍｍｕｎｉｃａｔｉｏｎ）などによる近距離無線通信の機能を備えた端末装置も実用化されている。【０００３】
ところで、上記の端末装置に備えたＮＦＣ回路では、ワイヤレス電力伝送装置がワイヤレス電力伝送を行う際に使用する電波と同じ周波数の電波、または逓倍した周波数の電波を使用して電力の送電を行っている。そして、ワイヤレス電力伝送回路では、電力を送電するという目的のため、一般的に、ＮＦＣ回路が通信に使用する電波よりも格段に高い出力の電波を使用している。このため、ワイヤレス電力伝送の受電機能とＮＦＣによる通信機能とを搭載した端末装置（電子機器）では、ＮＦＣによる通信を行っているときにワイヤレス電力伝送による送電（給電）が行われると、電力を送電するための電波によって、ＮＦＣ回路が壊れてしまうということが発生していた。【０００４】
そこで、例えば、特許文献１のような、受電側通信装置に搭載された電池（二次電池）のワイヤレス給電による充電の期間中に通信回路の動作を可能とし、さらに二次電池の充電の期間中の通信回路の破壊を防止するための技術が提案されている。特許文献１に開示された技術では、受電側通信装置の受電部に備えた電圧検出回路が、二次電池の充電を行う期間中に所定の閾値を超える充電電圧（伝送電圧）を検出した場合、ＮＦＣ回路への通電を遮断する。これにより、特許文献１に開示された技術では、ワイヤレス給電によって充電を行っている期間中におけるＮＦＣ回路の破壊を防止している。
【先行技術文献】
【特許文献】
【０００５】
【特許文献１】特開２０１４−０３３５０４号公報
【発明の概要】
【発明が解決しようとする課題】
【０００６】
一般的に、ワイヤレス電力伝送を行う非接触給電システムでは、始めに、ワイヤレス電力伝送装置（送電装置）が弱い電力を送電して、送電された電力を受電して使用する端末装置などの通信装置、すなわち、送電装置から送電された電力を充電する通信装置との間で通信を行う。そして、送電装置は、通信装置との間の通信によって、通信装置において受電の準備が整ったことが確認できた後に、強い電力の送電を開始する。このように、ワイヤレス電力伝送を行う非接触給電システムでは、送電装置が、最初から強い電力を通信装置（受電装置）に送電することはない。このため、通常では、非接触給電システムにおいて、送電装置が通信装置（受電装置）に送電する電力、すなわち、通信装置における充電電圧が急激に上昇するという状況になることはない。【０００７】
しかしながら、非接触給電システムを構成する送電装置が、同時に複数の通信装置（受電装置）に対して電力を送電する機能（能力）を備えていることもある。この場合、送電装置がある通信装置（受電装置）に対して送電を行っている最中に、ワイヤレス電力伝送を行う電波の範囲内に別の通信装置（受電装置）が入ってくると、送電装置は、すでに送電を行っている強い電力を別の通信装置に送電することになる。つまり、通信装置に対して、最初から強い電力の送電が行われてしまうことがあり得る。この場合、最初から強い電力が送電された通信装置では、充電電圧が急激に上昇してしまう。【０００８】
特許文献１に開示された技術は、上述したように、受電側通信装置の受電部に備えた電圧検出回路が、充電を行う期間中に所定の閾値を超える充電電圧（送電電圧）を検出した場合に、ＮＦＣ回路への通電を遮断する技術である。このため、特許文献１に開示された技術では、充電電圧が急激に上昇した場合、ＮＦＣ回路への通電を遮断する処理が間に合わず、ＮＦＣ回路が破壊されてしまう危険性がある。【０００９】
本発明のいくつかの態様は、上記の課題に基づいてなされたものであり、ワイヤレス電力伝送によって送電された電力を二次電池に充電する際に、通信装置に備えた近距離無線通信の回路が破壊されてしまう危険性を回避することができる通信装置、制御プログラム、および非接触給電システムを提供することを目的としている。
【課題を解決するための手段】
【００１０】
上記の課題を解決するため、本発明の一態様の通信装置は、近距離無線通信を行う近距離無線通信部と、非接触で電力を送電する送電装置から送信された前記送電に関する送電情報を受信する通信部と、前記通信部が前記送電情報を受信したときに、前記近距離無線通信部への通電を制御する制御部と、を備える。【００１１】
また、本発明の一態様は、上記の通信装置において、前記送電装置から送電された前記電力を受電する受電部と、二次電池と、をさらに備え、前記制御部は、前記受電部が受電した前記電力の前記二次電池への充電を制御してもよい。【００１２】
また、本発明の一態様は、上記の通信装置において、前記制御部は、前記通信部が前記送電情報を受信したときに、受電部から前記近距離無線通信部への通電を遮断してもよい。【００１３】
また、本発明の一態様は、上記の通信装置において、前記近距離無線通信部が前記近距離無線通信を行う際に使用する第２の受電部、をさらに備え、前記制御部は、前記通信部が前記送電情報を受信したときに、前記第２の受電部から前記近距離無線通信部への通電を遮断してもよい。【００１４】
また、本発明の一態様は、上記の通信装置において、前記制御部は、前記送電情報が前記電力を送電していることを表している場合、前記近距離無線通信部への通電を遮断してもよい。【００１５】
また、本発明の一態様は、上記の通信装置において、前記制御部は、前記送電情報が前記電力を送電していないことを表している場合、前記近距離無線通信部への通電を遮断しない状態に制御してもよい。【００１６】
また、本発明の一態様は、上記の通信装置において、前記制御部は、前記通信部が前記送電情報を受信しない状態になったときに、前記近距離無線通信部への通電を遮断しない状態に制御してもよい。【００１７】
また、本発明の一態様は、上記の通信装置において、前記制御部は、前記送電装置が前記電力を送電することができる電力送電範囲内に前記通信装置が存在するときに、前記近距離無線通信部への通電を遮断してもよい。【００１８】
また、本発明の一態様は、上記の通信装置において、前記制御部は、前記送電装置が送電している前記電力の大きさが予め定めた大きさ以上である場合に、前記近距離無線通信部への通電を遮断してもよい。【００１９】
また、本発明の一態様は、上記の通信装置において、前記制御部は、前記送電装置が送電している前記電力の大きさが予め定めた大きさ以下である場合に、前記近距離無線通信部への通電を遮断しない状態に制御してもよい。【００２０】
また、本発明の一態様は、上記の通信装置において、前記近距離無線通信部に電力を供給する経路の電気的な接続を遮断する接続遮断部、をさらに備え、前記制御部は、前記接続遮断部を開状態に制御することによって、前記近距離無線通信部への通電を遮断する状態に制御し、前記接続遮断部を閉状態に制御することによって、前記近距離無線通信部への通電を遮断しない状態に制御してもよい。【００２１】
また、本発明の一態様の制御プログラムは、近距離無線通信を行う近距離無線通信部と、非接触で電力を送電する送電装置から送信された前記送電に関する送電情報を受信する通信部と、制御部と、を備えた通信装置の制御部としてコンピュータを機能させるための制御プログラムであって、前記コンピュータを、前記通信部が前記送電情報を受信したときに、前記近距離無線通信部への通電を制御する前記制御部として機能させる、制御プログラムである。【００２２】
また、本発明の一態様の非接触給電システムは、非接触で電力を送電することができる電力送電範囲よりも通信距離が長い第１の通信部、を備え、前記第１の通信部によって前記電力の送電に関する送電情報を送信する送電装置と、近距離無線通信を行う近距離無線通信部と、前記送電装置から送信された前記送電情報を受信する第２の通信部と、前記第２の通信部が前記送電情報を受信したときに、前記近距離無線通信部への通電を制御する制御部と、を備えた通信装置と、を備える。
【発明の効果】
【００２３】
本発明のいくつかの態様によれば、ワイヤレス電力伝送によって送電された電力を二次電池に充電する際に、通信装置に備えた近距離無線通信の回路が破壊されてしまう危険性を回避することができる通信装置、制御プログラム、および非接触給電システムを提供することができるという効果を奏する。
【図面の簡単な説明】
【００２４】
【図１】本発明の第１の実施形態における非接触給電システムの概略構成を示したブロック図である。
【図２】本発明の第１の実施形態の非接触給電システムを構成する通信装置における近距離無線通信時の概略構成を示したブロック図である。
【図３】本発明の第１の実施形態の非接触給電システムにおいて充電の処理を行う際の処理手順を示したフローチャートである。
【図４】本発明の第２の実施形態における非接触給電システムの概略構成を示したブロック図である。
【図５】本発明の第２の実施形態の非接触給電システムを構成する通信装置における近距離無線通信時の概略構成を示したブロック図である。
【図６】本発明の第３の実施形態の非接触給電システムにおいて充電の処理を行う際の処理手順を示したフローチャートである。
【図７】本発明の第４の実施形態における非接触給電システムの概略構成を示したブロック図である。
【図８】本発明の第４の実施形態の非接触給電システムにおいて充電の処理を行う際の処理手順を示したフローチャートである。
【発明を実施するための形態】
【００２５】
＜第１の実施形態＞
以下、本発明の第１の実施形態について、図面を参照して説明する。図１は、本発明の第１の実施形態における非接触給電システムの概略構成を示したブロック図である。図１に示した第１の実施形態の非接触給電システム１は、送電装置１０と、通信装置２０と、を含んで構成される。図１には、非接触給電システム１を構成する送電装置１０から送電された電力を、非接触給電システム１を構成する通信装置２０、言い換えれば、受電装置が受電している状態を示している。
【００２６】
送電装置１０は、非接触（ワイヤレス）で電力を送電（ワイヤレス電力伝送）するワイヤレス電力伝送装置である。より具体的には、送電装置１０は、不図示の送電コイルによって交流の電力に応じて強さが変動する磁界を発生させ、近くに存在する通信装置２０、つまり、不図示の送電コイルによって発生させた磁界の中に存在する通信装置２０に、電磁波として電力を送電する。送電装置１０は、通信装置２０を含む複数の通信装置や受電装置に対して同時に電力を送電する機能（能力）を備えている。送電装置１０は、例えば、受電した電力を使用する端末装置に電力を送電する充電器、充電アダプター、充電パッドなどとして構成されてもよい。なお、本発明の一態様においては、送電装置１０が構成される形態に関しては、特に規定しない。
【００２７】
送電装置１０は、通信部１１を含んで構成される。通信部１１は、無線通信によって情報を送受信する通信インターフェースである。通信部１１は、送電装置１０が電力を送電しているか否かを表す情報、つまり、不図示の送電コイルによって電力を送電するための磁界を発生させているか否かを表す情報を、無線通信によって、通信装置２０との間でやり取りする。なお、通信部１１は、通信装置２０との間で無線通信を行う際に無線信号を送出するアンテナとして、不図示の通信アンテナを用いてもよいし、送電装置１０に備えた不図示の送電コイルをアンテナとして用いてもよい。
【００２８】
ここで、通信部１１が無線通信を行う際の通信規格は、送電装置１０がワイヤレス電力伝送によって電力を送電することができる範囲、つまり、送電装置１０が電力を送電することができる通信装置２０との間の最長距離よりも無線通信を行うための無線信号の到達距離（通信距離）が長い通信規格である。より具体的には、通信部１１が無線通信を行う際の通信規格は、例えば、ブルートゥース（Ｂｌｕｅｔｏｏｔｈ（登録商標））などの短距離無線通信規格や、ＷｉＦｉ（登録商標）（Ｗｉｒｅｌｅｓｓ  Ｆｉｄｅｌｉｔｙ）などの無線ＬＡＮ（Ｌｏｃａｌ  Ａｒｅａ  Ｎｅｔｗｏｒｋ）を利用した無線通信規格である。なお、本発明の一態様においては、通信部１１が通信装置２０との間で無線通信を行うための構成や制御方法、無線通信の規格や通信方法に関しては、特に規定しない。
【００２９】
通信装置２０は、送電装置１０から送電された電力を受電する。通信装置２０は、受電した電力を二次電池に充電する。また、通信装置２０は、受電した電力または二次電池に充電されている電力を使用して、送電装置１０との間で無線通信を行う。また、通信装置２０は、受電した電力または二次電池に充電されている電力を使用して、不図示のＮＦＣ（Ｎｅａｒ  Ｆｉｅｌｄ  ｒａｄｉｏ  Ｃｏｍｍｕｎｉｃａｔｉｏｎ）通信装置との間で近距離無線通信を行う。つまり、通信装置２０は、無線通信（例えば、ブルートゥース（Ｂｌｕｅｔｏｏｔｈ（登録商標））などの短距離無線通信）の機能と、近距離無線通信（ＮＦＣ通信）の機能とを備えている。
【００３０】
なお、通信装置２０は、受電した電力を使用して様々な機能を実現する端末装置の一部として構成されてもよい。例えば、通信装置２０は、パーソナルコンピュータ（ＰＣ）、既存の移動体通信網を利用した携帯電話、携帯電話の機能と携帯情報端末（ＰＤＡ：Ｐｅｒｓｏｎａｌ  Ｄｉｇｉｔａｌ  Ａｓｓｉｓｔａｎｔ）の機能とを融合させた携帯通信端末（いわゆる、スマートフォン）、タブレット端末などに備えられてもよい。
【００３１】
通信装置２０は、受電コイル２１と、ＮＦＣコイル２２と、通信部２３と、受電処理部２４と、充電制御部２５と、ＮＦＣ回路２６と、二次電池２７と、スイッチ２８と、を含んで構成される。
【００３２】
受電コイル２１は、送電装置１０から送電された電力を受電する受電部である。より具体的には、通信装置２０を送電装置１０に近づける、つまり、送電装置１０が不図示の送電コイルによって発生させた磁界の中に通信装置２０を入れることによって、受電コイル２１には、送電装置１０が電磁波として送電した電力に応じて強さが変動する磁界が発生し、発生した磁界の強さの変動による電磁誘導に応じた誘導電流が発生する。受電コイル２１は、発生した誘導電流を、送電装置１０が送電した電力として受電する。受電コイル２１は、受電した電力を、受電処理部２４に供給する。なお、受電コイル２１は、不図示の共振コンデンサを並列に接続することによって共振回路が構成されており、不図示の共振コンデンサの両端に生じた電力を、受電した電力として受電処理部２４に供給する。
【００３３】
受電コイル２１が受電した電力は、二次電池２７への充電に用いられる。また、通信装置２０が、受電した電力を使用して様々な機能を実現する端末装置の一部として構成される場合、受電コイル２１が受電した電力は、端末装置に備えた様々な機能を実現する機能部の電源として用いられる。なお、機能部の電源としては、通信装置２０が受電した電力を直接用いるのではなく、二次電池２７に充電されている電力を用いる、つまり、受電した電力を一旦二次電池２７に充電してから用いる構成であってもよい。
【００３４】
ＮＦＣコイル２２は、受電コイル２１と同様に、通信装置２０が入った磁界の強さに応じた誘導電流を発生し、電力として受電する受電部である。ＮＦＣコイル２２は、受電した電力を、スイッチ２８を介してＮＦＣ回路２６に供給する。また、ＮＦＣコイル２２は、ＮＦＣ回路２６がＮＦＣ通信を行う際のアンテナとして用いられる。
【００３５】
なお、ＮＦＣコイル２２が電力を受電する対象の磁界は、不図示のＮＦＣ通信装置が発生させた磁界である。つまり、ＮＦＣコイル２２が電力を受電する対象の磁界は、二次電池２７を充電するために送電装置１０が不図示の送電コイルによって発生させる高い出力の電波を使用した磁界ではなく、不図示のＮＦＣ通信装置がＮＦＣ通信を行う際に必要な電力を送電するために発生させる低い出力の電波を使用した磁界である。ただし、ＮＦＣコイル２２の構成も、受電コイル２１の構成と同様であるため、ＮＦＣコイル２２においても、送電装置１０が送電した電力も受電する。
【００３６】
通信部２３は、充電制御部２５からの制御に応じて、送電装置１０に備えた通信部１１との間で種々の情報やデータなどの送受信（無線通信）を行う通信インターフェースである。通信部２３は、上述したように、送電装置１０が電力を送電しているか否かを表す情報、つまり、不図示の送電コイルによって電力を送電するための磁界を発生させているか否かを表す情報を、無線通信によって、送電装置１０に備えた通信部１１との間でやり取りする。なお、通信部２３は、送電装置１０に備えた通信部１１との間で無線通信を行う際に無線信号を送出するアンテナとして、不図示の通信アンテナを用いてもよいし、受電コイル２１をアンテナとして用いてもよい。
【００３７】
ここで、通信部２３が無線通信を行う際の通信規格は、送電装置１０に備えた通信部１１と同じ通信規格である。つまり、通信部２３が無線通信を行う際の通信規格は、送電装置１０が電力を送電することができる通信装置２０との間の最長距離よりも通信距離が長い、例えば、ブルートゥース（Ｂｌｕｅｔｏｏｔｈ（登録商標））などの短距離無線通信規格や、ＷｉＦｉ（登録商標）（Ｗｉｒｅｌｅｓｓ  Ｆｉｄｅｌｉｔｙ）などの無線ＬＡＮ（Ｌｏｃａｌ  Ａｒｅａ  Ｎｅｔｗｏｒｋ）を利用した無線通信規格である。なお、本発明の一態様においては、通信部２３が送電装置１０に備えた通信部１１との間で無線通信を行うための構成や制御方法、無線通信の規格や通信方法に関しては、特に規定しない。
【００３８】
受電処理部２４は、受電コイル２１から供給された電力、つまり、送電装置１０から送電された電力を調整する電力調整部である。受電処理部２４は、例えば、受電コイル２１から供給された電力における電流（つまり、受電コイル２１に発生した誘導電流）を整流する整流回路と、整流回路によって整流した電力における電圧を一定に調整する定電圧回路とを含んで構成される。受電処理部２４は、調整した電力、つまり、整流して定電圧にした電力を、充電制御部２５に供給する。
【００３９】
充電制御部２５は、受電処理部２４から供給された電力、つまり、送電装置１０から送電され、整流して定電圧にした電力の二次電池２７への給電と充電とを制御する。また、充電制御部２５は、通信部２３を制御して送電装置１０との間で情報交換を行い、送電装置１０との間で交換した情報に基づいて、スイッチ２８の開閉（開放と短絡）を制御する。例えば、充電制御部２５は、送電装置１０との間で交換した情報に基づいて、二次電池２７の充電開始から充電完了間の期間中におけるスイッチ２８の開閉（開放と短絡）を制御する。なお、充電制御部２５は、上述したそれぞれの制御を行うための制御プログラムを、例えば、中央処理装置（Ｃｅｎｔｒａｌ  Ｐｒｏｃｅｓｓｉｎｇ  Ｕｎｉｔ：ＣＰＵ）などによって実行することによって実現する構成にしてもよい。また、充電制御部２５は、上述したそれぞれの制御を、例えば、専用のＬＳＩ（Ｌａｒｇｅ  Ｓｃａｌｅ  Ｉｎｔｅｇｒａｔｉｏｎ）、いわゆる、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などの集積回路で実現する構成にしてもよい。
【００４０】
ここで、充電制御部２５が通信部２３を介して送電装置１０との間で交換する情報は、送電装置１０がワイヤレス電力伝送によって電力を送電しているか否か、すなわち、送電装置１０が不図示の送電コイルによって電力を送電するための磁界を発生させているか否かを表す情報である。充電制御部２５は、二次電池２７への充電を開始する前、つまり、通信装置２０を送電装置１０が不図示の送電コイルによって発生させた磁界の中に入る前に、送電装置１０が電力を送電するための磁界を発生させているか否かを確認する。つまり、充電制御部２５は、事前に送電装置１０における電力の送電状況を確認する。そして、充電制御部２５は、確認した送電装置１０における電力の送電状況に基づいて、スイッチ２８の開閉（開放と短絡）を制御する。これは、送電装置１０が他の通信装置や受電装置に対して電力の送電を行っている最中、つまり、送電装置１０が不図示の送電コイルによって強い磁界を発生させているときに、通信装置２０を強い磁界の中に入れてしまうと、ＮＦＣコイル２２が強い電力を受電してしまい、スイッチ２８を介してＮＦＣ回路２６に受電した電力を供給してしまう（通電してしまう）ことによって、ＮＦＣ回路２６が破壊されてしまう危険性を回避するためである。このため、通信部２３は、送電装置１０が電力を送電することができる通信装置２０との間の最長距離よりも通信距離が長い無線通信規格で無線通信を行っている。
【００４１】
以下の説明においては、送電装置１０に備えた通信部１１と通信部２３（つまり、充電制御部２５）との間で交換する（やり取りする）、送電装置１０がワイヤレス電力伝送によって電力を送電しているか否かの現在の状況を表す情報を、「送電情報」という。
【００４２】
充電制御部２５は、二次電池２７への充電を開始するとき、通信部２３を制御して、送電装置１０に送電情報の送信を要求する。例えば、充電制御部２５は、通信部２３に、送電情報を要求する送電情報要求信号を送電装置１０に送信させる。そして、充電制御部２５は、送電装置１０から送信されてきた送電情報に基づいて、スイッチ２８の開閉（開放と短絡）を制御する。例えば、送信した送電情報要求信号に応じて送電装置１０が送信した送電情報を通信部２３が受信し、受信した送電情報が通信部２３から入力された場合、充電制御部２５は、入力された送電情報が表す送電装置１０における現在の電力送電の状況に基づいて、スイッチ２８の開閉（開放と短絡）を制御する。なお、充電制御部２５は、通信部２３から送電情報を受信したことを表す通知が入力された場合には、通信部２３を制御して、送電装置１０から送信されてきた送電情報を取得し、取得した送電情報に基づいて、スイッチ２８の開閉（開放と短絡）を制御する。より具体的には、充電制御部２５は、ＮＦＣ回路２６の破壊の危険性を回避するように、スイッチ２８の開閉（開放と短絡）を制御する。さらに具体的には、充電制御部２５は、ＮＦＣ回路２６の破壊の危険性を回避するために、スイッチ２８を開状態（開放状態）に制御する。なお、このとき、充電制御部２５は、スイッチ２８を開状態（開放状態）に制御する前に、ＮＦＣ回路２６を初期化または動作を停止させるように制御してもよい。その後、充電制御部２５は、受電処理部２４から供給された電力を二次電池２７に給電して充電させる。
【００４３】
なお、上述した説明では、送電装置１０が、充電制御部２５から通信部２３を制御して送信した送電情報要求信号に応じて送電情報を送信する構成を示した。しかし、送電装置１０が送電情報を送信するタイミングは、上述したタイミングに限定されるものではない。つまり、上述した説明では、送電装置１０と通信装置２０との間で、いわゆる、マルチキャスト通信方式で無線通信を行う構成を示したが、送電装置１０と通信装置２０の間の無線通信の方式は、マルチキャスト通信方式に限定されるものではない。例えば、送電装置１０は、通信部１１によって送電情報を定期的に送信し続ける構成、いわゆる、ブロードキャスト通信方式で無線通信を行う構成であってもよい。この場合、充電制御部２５は、常に送電装置１０における電力の送電状況を確認することができる。
【００４４】
充電制御部２５は、送電装置１０から送信されてきた送電情報が、ワイヤレス電力伝送によって電力を送電していることを表している場合には、送電装置１０がすでに送電している電力を二次電池２７に充電させる。しかし、送電装置１０から送信されてきた送電情報が、ワイヤレス電力伝送によって電力を送電していないことを表している場合には、充電制御部２５は、送電装置１０に電力の送電を要求し、この要求に応じて送電装置１０が送電した電力を二次電池２７に充電させる。より具体的には、充電制御部２５は、通信部２３を制御して、送電装置１０に電力の送電を要求する。例えば、充電制御部２５は、通信部２３に、電力の送電を要求する送電要求信号を送電装置１０に送信させる。その後、充電制御部２５は、送電装置１０が要求した電力の送電を受け付けて送電した電力の二次電池２７への充電を開始する。例えば、充電制御部２５は、送信した送電要求信号に応じて電力の送電を受け付けたことを表す送電受け付け信号を通信部２３が受信し、受信した送電受け付け信号、または送電受け付け信号を受信したことを表す通知が通信部２３から入力された場合に、送電装置１０が送電した電力に応じて受電処理部２４から供給された電力を二次電池２７に給電して充電させる。
【００４５】
なお、充電制御部２５は、予め定めた時間が経過しても、通信部２３から送電受け付け信号や送電受け付け信号を受信したことを表す通知が入力されない場合には、例えば、送電装置１０が電力の送電を開始できない、近くに送電装置１０が存在しないなどの理由によって、送電装置１０が要求した電力の送電を受け付けられないと判断する。この場合、充電制御部２５は、二次電池２７への充電を待機する。このとき、充電制御部２５は、通信部２３による送電要求信号の再送や、二次電池２７への充電が不可能であることを通知する構成にしてもよい。
【００４６】
なお、充電制御部２５は、二次電池２７への充電が完了した後であっても、通信装置２０が、送電装置１０がワイヤレス電力伝送によって電力を送電することができる範囲内に存在する場合には、送電装置１０における電力の送電状況を確認し、確認した送電装置１０における電力の送電状況に基づいて、スイッチ２８の開閉（開放と短絡）を制御する。
つまり、充電制御部２５は、送電装置１０がワイヤレス電力伝送によって電力を送電することができる範囲外に通信装置２０が出るまで、送電装置１０における電力の送電状況を確認してスイッチ２８の開閉（開放と短絡）を制御する。これは、送電装置１０が不図示の送電コイルによって発生させている強い磁界の中に通信装置２０が存在すると、やはり、ＮＦＣコイル２２が強い電力を受電してしまうため、ＮＦＣ回路２６が破壊されてしまう危険性を回避するためである。このことから、通信部２３と送電装置１０に備えた通信部１１との無線通信では、送電装置１０と通信部２３（つまり、通信装置２０）との間の距離、すなわち、送電装置１０がワイヤレス電力伝送によって電力を送電することができる範囲内であるか否かを判定できることが望ましい。
【００４７】
なお、上述した送電情報要求信号や送電要求信号には、通信装置２０を識別するための識別情報が含まれてもよい。この場合、送電装置１０は、送電情報要求信号や送電要求信号を送信してきた通信装置２０が、電力を送電する対象の通信装置２０であるか否かを判定して、送電情報や送電受け付け信号を送信（返信）することができる。また、送電要求信号には、二次電池２７を充電する際に要する電力の大きさ（電力レベル）（電圧値や電流値などを含む）を表す情報が含まれてもよい。この場合、送電装置１０は、要求されている電力を送電することができるか否かを判定して、送電受け付け信号を送信（返信）することができる。
【００４８】
また、上述した送電情報や送電受け付け信号には、送電装置１０を識別するための識別情報が含まれてもよい。この場合、充電制御部２５は、送電情報や送電受け付け信号を送信してきた送電装置１０が、送電された電力を二次電池２７に充電する対象の送電装置１０であるか否かを判定して、送電装置１０から送電された電力を受電することができる。
また、送電受け付け信号には、送電することができる電力レベル（電圧値や電流値などを含む）を表す情報が含まれてもよい。この場合、充電制御部２５は、送電装置１０から送電されてくる電力が、二次電池２７を充電する際に要する電力レベルを確保することができるか否か判定して、二次電池２７への充電（例えば、充電時間、充電時の電圧値や電流値など）を制御することができる。
【００４９】
なお、電力レベルを表す情報は、充電制御部２５に通信部２３から送電受け付け信号や送電受け付け信号を受信したことを表す通知が入力された後に、送電装置１０との間の情報交換において送受信してもよい。例えば、充電制御部２５は、通信部２３から送電受け付け信号や送電受け付け信号を受信したことを表す通知が入力された後に、通信部２３を制御して、二次電池２７を充電する際に要する電力レベルを表す情報を送電装置１０に送信させてもよい。また、例えば、送電装置１０は、受信した送電要求信号に応じた送電受け付け信号の送信に引き続き、送電することができる電力レベルを表す情報を通信装置２０に送信してもよい。
【００５０】
また、充電制御部２５が通信部２３を介して送電装置１０との間で交換する情報には、充電制御部２５が二次電池２７への給電と充電とを行っている、つまり、通信装置２０が受電して二次電池２７を充電しているか否か（充電中であるか否か）を表す情報（以下、「充電中情報」という）もある。充電制御部２５は、二次電池２７を充電中であるとき、充電中であることを表す充電中情報を、送電装置１０に送信する。これにより、充電制御部２５は、送電装置１０に、通信装置２０が二次電池２７に充電を行っていることを通知することができる。充電制御部２５が送電装置１０に送信している充電中情報は、他の通信装置や受電装置が受信することもできる。つまり、充電制御部２５は、送電装置１０に充電中情報を送信するによって、送電装置１０および送電装置１０がワイヤレス電力伝送によって電力を送電することができる範囲内に存在する他の通信装置や受電装置に、二次電池２７への充電を行っている通信装置２０が存在することを通知することができる。逆に言えば、通信装置２０は、他の通信装置や受電装置が送電装置１０に送信した充電中情報を受信することによって、送電装置１０がワイヤレス電力伝送によって電力を送電することができる範囲内に存在する他の通信装置や受電装置が充電の動作を行っていることを知ることもできる。
【００５１】
なお、本発明の一態様においては、充電制御部２５が通信部２３を介して送電装置１０との間で交換する情報において、送電装置１０がワイヤレス電力伝送によって電力を送電しているか否かの現在の状況を表す情報（送電情報）と、通信装置２０（充電制御部２５）が二次電池２７の充電中であるか否かを表す情報（充電中情報）とのそれぞれの情報以外の情報に関しては、特に規定しない。
【００５２】
なお、充電制御部２５において二次電池２７を充電する際の上述した処理に関する詳細な説明は、後述する。
【００５３】
ＮＦＣ回路２６は、不図示のＮＦＣ通信装置との間でＮＦＣ通信を行う通信インターフェース回路（近距離無線通信の回路）である。ＮＦＣ回路２６は、ＮＦＣコイル２２が受電し、スイッチ２８を介して供給された電力を使用して動作し、ＮＦＣ通信における信号処理を行う。なお、本発明の一態様においては、ＮＦＣ回路２６における不図示のＮＦＣ通信装置との間のＮＦＣ通信において送受信する情報やデータなどの形式や通信方法および信号処理に関しては、特に規定しない。
【００５４】
二次電池２７は、例えば、リチウムイオン二次電池、ニッケル・水素蓄電池、ニッケル・カドミウム蓄電池などの充電式の電池（バッテリ）である。二次電池２７は、充電制御部２５からの制御に応じて、充電制御部２５から給電された電力、つまり、送電装置１０から送電され、受電処理部２４によって整流して定電圧にされた電力を蓄電する。二次電池２７には、充電制御部２５から給電された電力における電流に応じた電荷が蓄電される（充電される）。二次電池２７に充電された電力は、通信装置２０に備えたそれぞれの構成要素の電源として供給される。また、通信装置２０が、受電した電力を使用して様々な機能を実現する端末装置の一部として構成される場合、二次電池２７に充電された電力は、端末装置に備えた様々な機能を実現する機能部の電源として用いられる。この場合、二次電池２７は、充電された電力を、それぞれの機能部に供給する。
【００５５】
スイッチ２８は、充電制御部２５からの制御に応じて、ＮＦＣコイル２２とＮＦＣ回路２６とにおける電気的な接続を遮断する接続遮断部である。スイッチ２８は、ＮＦＣ回路２６にＮＦＣコイル２２が受電した電力を供給する経路（配線）の電気的な接続を遮断する。通信装置２０が、送電装置１０から送電された電力を二次電池２７に充電する場合、スイッチ２８は、充電制御部２５によって開状態（開放状態）に制御される。これにより、ＮＦＣコイル２２とＮＦＣ回路２６との電気的な接続が遮断され、ＮＦＣコイル２２が二次電池２７を充電するための強い電力を受電した場合でも、ＮＦＣ回路２６の電圧が強い電力によって急激に上昇して破壊されてしまう危険性を回避することができる。なお、以下の説明においては、スイッチ２８開状態（開放状態）を「ＯＦＦ状態」という。
【００５６】
また、通信装置２０が、不図示のＮＦＣ通信装置との間でＮＦＣ通信をする場合、スイッチ２８は、充電制御部２５によって閉状態（短絡状態）に制御される。これにより、ＮＦＣコイル２２とＮＦＣ回路２６とが電気的に接続され、ＮＦＣ回路２６が、ＮＦＣコイル２２が受電して供給した電力を使用して動作する。そして、ＮＦＣ回路２６は、ＮＦＣ通信を行う際のアンテナとしてＮＦＣコイル２２を用いた場合には、ＮＦＣコイル２２から入力されるＮＦＣ通信における種々の情報やデータなどに対して信号処理を行うことができる。なお、以下の説明においては、スイッチ２８閉状態（短絡状態）を「ＯＮ状態」という。
【００５７】
ここで、通信装置２０におけるＮＦＣ通信について説明する。図２は、本発明の第１の実施形態の非接触給電システム１を構成する通信装置２０における近距離無線通信（ＮＦＣ通信）時の概略構成を示したブロック図である。図２には、非接触給電システム１を構成する通信装置２０が、ＮＦＣ通信装置３０との間で近距離無線通信（ＮＦＣ通信）を行っている状態を示している。なお、以下の説明においては、ＮＦＣ通信を行う際のアンテナとしてＮＦＣコイル２２を用いるものとして説明する。
【００５８】
ＮＦＣ通信装置３０は、非接触（ワイヤレス）でＮＦＣ通信を行う際に必要な電力を送電（ワイヤレス電力伝送）すると共に、ＮＦＣ通信における種々の情報やデータを送受信する通信装置である。通信装置２０に備えたＮＦＣ回路２６は、上述したように、ＮＦＣ通信装置３０から送電され、ＮＦＣコイル２２が受電した電力を使用してＮＦＣ通信装置３０との間で無線通信を行う。このため、充電制御部２５は、図２に示したように、スイッチ２８をＯＦＦ状態に制御する。これにより、ＮＦＣコイル２２が受電した電力や、ＮＦＣ通信における種々の情報やデータが、スイッチ２８を介してＮＦＣコイル２２からＮＦＣ回路２６に伝達される。
【００５９】
ＮＦＣ通信装置３０は、ＮＦＣ通信部３１を含んで構成される。ＮＦＣ通信部３１は、ＮＦＣ通信によって情報を送受信する通信インターフェースである。ＮＦＣ通信部３１は、通信装置２０に備えたＮＦＣ回路２６との間で、ＮＦＣ通信における種々の情報やデータなどを送受信（近距離無線通信）する。なお、ＮＦＣ通信部３１は、通信装置２０との間でＮＦＣ通信を行う際に近距離無線信号（ＮＦＣ信号）を送出するアンテナとして、不図示のＮＦＣ通信アンテナを用いてもよいし、ＮＦＣ通信装置３０に備えた不図示の送電コイル（ＮＦＣ送電コイル）をアンテナとして用いてもよい。
【００６０】
ＮＦＣ通信装置３０は、通信装置２０が近づくと、不図示のＮＦＣ送電コイルによって磁界を形成させ、通信装置２０、つまり、不図示のＮＦＣ送電コイルによって発生させた磁界の中に存在する通信装置２０に、電磁波として電力を送電する。これにより、通信装置２０では、ＮＦＣ通信装置３０が形成した磁界による電磁誘導に応じた誘導電流がＮＦＣコイル２２に発生する。ＮＦＣコイル２２は、発生した誘導電流を、ＮＦＣ通信装置３０が送電した電力として受電して、スイッチ２８介してＮＦＣ回路２６に供給する。これにより、ＮＦＣ回路２６は、ＮＦＣコイル２２からスイッチ２８を介して供給された電力を使用して動作することができるようになる。
【００６１】
そして、ＮＦＣ通信装置３０は、通信装置２０に備えたＮＦＣ回路２６との間でのＮＦＣ通信を行う。このようにして、ＮＦＣ通信装置３０は、近づいた通信装置２０に対して電力を送電すると共に、送電した電力を使用して動作するＮＦＣ回路２６との間でＮＦＣ通信を行う。なお、本発明の一態様においては、ＮＦＣ通信装置３０（つまり、ＮＦＣ通信部３１）が通信装置２０（つまり、ＮＦＣ回路２６）との間でＮＦＣ通信を行うための構成や制御方法、ＮＦＣ通信において送受信する情報やデータなどの形式や通信方法および信号処理に関しては、特に規定しない。
【００６２】
次に、第１の実施形態の非接触給電システム１において送電装置１０から送電された電力を二次電池２７に充電する際の処理（以下、「充電処理」という）について説明する。
図３は、本発明の第１の実施形態の非接触給電システム１において充電の処理（充電処理）を行う際の処理手順を示したフローチャートである。なお、以下の説明においては、送電装置１０に備えた通信部１１と、通信装置２０に備えた通信部２３とが、ブルートゥース（Ｂｌｕｅｔｏｏｔｈ（登録商標））の規格に属するＩＥＥＥ８０２．１５．１  バージョン４．０（ＢＬＥ：Ｂｌｕｅｔｏｏｔｈ（登録商標）  Ｌｏｗ  Ｅｎｅｒｇｙ）規格に準じた短距離無線通信（以下、「ＢＬＥ通信」という）を行うものとして説明する。また、以下の説明においては、送電装置１０に備えた通信部１１が、定期的に情報を送信し続けるブロードキャスト通信方式で、送電情報を定期的に送信しているものとして説明する。
【００６３】
通信装置２０が起動し、二次電池２７への充電動作を行っていないとき、充電制御部２５は、スイッチ２８をＯＮ状態に制御している。その後、充電制御部２５は、充電処理を開始する。充電処理においては、まず、充電制御部２５は、通信部２３を制御して、送電装置１０がＢＬＥ通信によって送信した送電情報を受信したか否かを確認する（ステップＳ１０１）。より具体的には、ステップＳ１０１において、充電制御部２５は、送電装置１０がワイヤレス電力伝送によって電力を送電していることを表す送電情報を受信したか否かを確認する。
【００６４】
ステップＳ１０１の確認の結果、通信部２３が、送電装置１０が送信した送電情報を受信していない場合（ステップＳ１０１の“ＮＯ”）、充電制御部２５は、スイッチ２８のＯＮ状態を維持すると共に、ステップＳ１０１に戻って、ステップＳ１０１における送電装置１０が送信した送電情報を受信したか否かの確認を繰り返す。なお、このとき、充電制御部２５は、送電装置１０に電力の送電を要求してもよい。
【００６５】
一方、ステップＳ１０１の確認の結果、通信部２３が、送電装置１０が送信した送電情報を受信した場合（ステップＳ１０１の“ＹＥＳ”）、充電制御部２５は、スイッチ２８をＯＦＦ状態に制御する（ステップＳ１０２）。これにより、通信装置２０では、ＮＦＣコイル２２が仮に強い電力を受電した場合でも、ＮＦＣ回路２６が破壊されてしまう危険性を回避することができる。
【００６６】
続いて、充電制御部２５は、二次電池２７の充電を行うか否かを判定する（ステップＳ１０３）。このステップＳ１０３における二次電池２７の充電を行うか否かの判定において充電制御部２５は、例えば、二次電池２７の充電状態が満充電であるか否かを確認する。そして、充電制御部２５は、二次電池２７の充電状態が満充電である場合には、二次電池２７の充電を行わないと判定し、二次電池２７の充電状態が満充電でない場合には、二次電池２７の充電を行うと判定する。
【００６７】
なお、ステップＳ１０３における二次電池２７の充電を行うか否かの判定では、上述した二次電池２７の充電状態が満充電であるか否かの確認に加えて、通信装置２０が二次電池２７の充電を行うことができる状態であるか否か、例えば、送電装置１０がワイヤレス電力伝送によって電力を送電することができる範囲（以下、「ワイヤレス電力送電範囲」という）内に通信装置２０が存在するか否かの確認も合わせて行ってもよい。より具体的には、充電制御部２５は、送電装置１０のワイヤレス電力送電範囲内に通信装置２０が存在し、かつ、二次電池２７の充電状態が満充電でない場合に、二次電池２７の充電を行うと判定し、送電装置１０のワイヤレス電力送電範囲内に通信装置２０が存在しない場合、または二次電池２７の充電状態が満充電である場合に、二次電池２７の充電を行わないと判定してもよい。なお、充電制御部２５は、送電装置１０のワイヤレス電力送電範囲内に通信装置２０が存在しない場合において、二次電池２７の充電状態が満充電でない場合には、送電装置１０のワイヤレス電力送電範囲内に通信装置２０が存在しない状態が予め定めた期間以上経過した場合に、二次電池２７の充電を行わないと最終的に判定するのが望ましい。つまり、充電制御部２５は、送電装置１０のワイヤレス電力送電範囲内に通信装置２０が存在しない場合には、すぐに二次電池２７の充電を行わないと最終的に決定するのではなく、その後に通信装置２０が送電装置１０のワイヤレス電力送電範囲内に入ることを想定して、予め定めた期間だけ最終的な判定を待つことが望ましい。
【００６８】
なお、通信装置２０が送電装置１０のワイヤレス電力送電範囲内に存在するか否かの判定は、例えば、送電装置１０との間でＢＬＥ通信が行えているか否かによって判定することができる。なお、通信装置２０が送電装置１０との間でＢＬＥ通信が行えている場合においても、例えば、送電装置１０に備えた不図示の送電コイル上やその付近からずれた位置に通信装置２０が存在するなど、送電装置１０のワイヤレス電力送電範囲内に通信装置２０が存在しない状態、つまり、通信装置２０が二次電池２７の充電を行うことができない状態であることも考えられる。この場合、送電装置１０では、不図示の送電コイルにおける通信装置２０側のインピーダンスの変化量に基づいて、ワイヤレス電力送電範囲内に通信装置２０が存在するか否かを判定することができる。例えば、送電装置１０は、不図示の送電コイルにおける通信装置２０側のインピーダンスの変化が少ない場合には、通信装置２０がワイヤレス電力送電範囲内に存在しないと判定することができる。そして、送電装置１０は、この判定結果を、ＢＬＥ通信によって通信装置２０に送信することができる。これにより、通信装置２０は、送電装置１０からＢＬＥ通信によって送信されてきた判定結果に基づいて、送電装置１０のワイヤレス電力送電範囲内に存在するか否かの判定することができる。
【００６９】
ステップＳ１０３の判定の結果、二次電池２７の充電を行わないと判定した場合（ステップＳ１０３の“ＮＯ”）、充電制御部２５は、ステップＳ１０６に進む。
【００７０】
一方、ステップＳ１０３の判定の結果、二次電池２７の充電を行うと判定した場合（ステップＳ１０３の“ＹＥＳ”）、充電制御部２５は、二次電池２７の充電を開始する（ステップＳ１０４）。このとき、充電制御部２５は、通信部２３を制御して、充電中であることを表す充電中情報を、ＢＬＥ通信によって送電装置１０に送信する。これにより、充電制御部２５は、送電装置１０および送電装置１０のワイヤレス電力送電範囲内に存在する他の通信装置や受電装置に、二次電池２７への充電を行っている通信装置２０が存在することを通知する。
【００７１】
続いて、充電制御部２５は、二次電池２７の充電が完了したか否かを判定する（ステップＳ１０５）。このステップＳ１０５における二次電池２７の充電が完了したか否かの判定において充電制御部２５は、例えば、二次電池２７の充電状態が満充電であるか否かを確認する。そして、充電制御部２５は、二次電池２７の充電状態が満充電である場合には、二次電池２７の充電が完了したと判定し、二次電池２７の充電状態が満充電でない場合には、二次電池２７の充電が完了していないと判定する。
【００７２】
なお、ステップＳ１０５における二次電池２７の充電が完了したか否かの判定では、上述した二次電池２７の充電状態が満充電であるか否かの確認の他に、通信装置２０が二次電池２７の充電を行うことができる状態であるか否か、例えば、送電装置１０のワイヤレス電力送電範囲内に通信装置２０が存在するか否かの確認も合わせて行ってもよい。より具体的には、充電制御部２５は、送電装置１０のワイヤレス電力送電範囲内に通信装置２０が存在しない場合、または二次電池２７の充電状態が満充電である場合に、二次電池２７の充電が完了したと判定し、送電装置１０のワイヤレス電力送電範囲内に通信装置２０が存在し、かつ、二次電池２７の充電状態が満充電でない場合に、二次電池２７の充電が完了していないと判定してもよい。
【００７３】
ステップＳ１０５の判定の結果、二次電池２７の充電が完了していないと判定した場合（ステップＳ１０５の“ＮＯ”）、充電制御部２５は、スイッチ２８のＯＦＦ状態を維持すると共に、ステップＳ１０５に戻って、ステップＳ１０５における二次電池２７の充電が完了したか否かの判定を繰り返す。
【００７４】
一方、ステップＳ１０５の判定の結果、二次電池２７の充電が完了したと判定した場合（ステップＳ１０５の“ＹＥＳ”）、充電制御部２５は、二次電池２７の充電を終了する。そして、二次電池２７の充電を終了した後、またはステップＳ１０３の判定の結果、二次電池２７の充電を行わないと判定した場合（ステップＳ１０３の“ＮＯ”）、充電制御部２５は、通信部２３を制御して、他の通信装置や受電装置がＢＬＥ通信によって送電装置１０に送信した充電中情報を受信したか否かを確認する（ステップＳ１０６）。
【００７５】
ステップＳ１０６の確認の結果、通信部２３が、他の通信装置や受電装置が送信した充電中情報を受信した場合（ステップＳ１０６の“ＹＥＳ”）、充電制御部２５は、スイッチ２８のＯＦＦ状態を維持すると共に、ステップＳ１０６に戻って、ステップＳ１０６における他の通信装置や受電装置が送信した充電中情報を受信したか否かの確認を繰り返す。
【００７６】
一方、ステップＳ１０６の確認の結果、通信部２３が、他の通信装置や受電装置が送信した充電中情報を受信していない場合（ステップＳ１０６の“ＮＯ”）、充電制御部２５は、通信装置２０が送電装置１０のワイヤレス電力送電範囲外に出た後に、スイッチ２８をＯＮ状態に制御する（ステップＳ１０７）。これにより、通信装置２０では、ＮＦＣコイル２２およびＮＦＣ回路２６によるＮＦＣ通信を行うことができる状態になる。
【００７７】
なお、充電制御部２５は、ステップＳ１０６の確認の結果、通信部２３が他の通信装置や受電装置が送信した充電中情報を受信していないにもかかわらず、通信装置２０が送電装置１０のワイヤレス電力送電範囲内に存在する場合には、送電装置１０に電力の送電の終了を要求し、送電装置１０がワイヤレス電力伝送によって電力を送電していないことを表す送電情報を受信した後に、スイッチ２８をＯＮ状態に制御してもよい。
【００７８】
続いて、充電制御部２５は、通信装置２０の動作を停止する、つまり、通信装置２０の電源をＯＦＦするか否かを判定する（ステップＳ１０８）。
【００７９】
ステップＳ１０８の判定の結果、通信装置２０の電源をＯＦＦしないと判定した場合（ステップＳ１０８の“ＮＯ”）、充電制御部２５は、ステップＳ１０１に戻って、充電処理を繰り返す。
【００８０】
一方、ステップＳ１０８の判定の結果、通信装置２０の電源をＯＦＦすると判定した場合（ステップＳ１０８の“ＹＥＳ”）、充電制御部２５は、通信装置２０の動作を停止して、充電処理を終了する。
【００８１】
このような構成および処理によって、第１の実施形態の非接触給電システム１では、送電装置１０が、ワイヤレス電力送電範囲よりも無線信号の到達距離（通信距離）が長い通信規格（図３において説明した充電処理では、ＢＬＥ通信）によって、ワイヤレス電力送電範囲外に存在する通信装置２０に、送電情報を送信する。これにより、第１の実施形態の非接触給電システム１では、送電装置１０が二次電池２７を充電するための強い電力をすでに発生させている場合でも、通信装置２０（より具体的には、充電制御部２５）は、受信した送電情報に基づいて、送電装置１０が強い電力を発生させているか否かを事前に確認することができる。このことにより、第１の実施形態の非接触給電システム１では、充電制御部２５が、事前に確認した結果に基づいて、通信装置２０が送電装置１０のワイヤレス電力送電範囲内に入る前に、ＮＦＣ回路２６が破壊されてしまう危険性を回避する状態（スイッチ２８がＯＦＦ状態）に制御することができる。
【００８２】
なお、第１の実施形態の非接触給電システム１では、ＮＦＣ回路２６が、ＮＦＣコイル２２が受電してスイッチ２８を介して供給された電力を使用して動作する構成について説明した。しかし、ＮＦＣ回路２６が動作するために使用する電力は、ＮＦＣコイル２２が受電して供給する構成に限定されるものではない。
【００８３】
＜第２の実施形態＞
次に、第２の実施形態の非接触給電システムについて説明する。図４は、本発明の第２の実施形態における非接触給電システムの概略構成を示したブロック図である。図４に示した第２の実施形態の非接触給電システム２は、送電装置１０と、通信装置４０と、を含んで構成される。図４に示した第２の実施形態の非接触給電システム２は、図１に示した第１の実施形態の非接触給電システム１を構成する通信装置２０が、通信装置４０に代わった構成である。
【００８４】
図４には、非接触給電システム２を構成する送電装置１０から送電された電力を、非接触給電システム２を構成する通信装置４０が受電している状態を示している。第２の実施形態の非接触給電システム２は、送電装置１０からワイヤレス電力伝送によって送電された電力の受電と、ＮＦＣ通信装置３０からワイヤレス電力伝送によって送電されたＮＦＣ通信を行う際に必要な電力とを、同じ受電コイルで受電する構成の非接触給電システムである。なお、図４に示した第２の実施形態の非接触給電システム２の構成要素には、図１に示した第１の実施形態の非接触給電システム１の構成要素と同様の構成要素も含まれている。従って、非接触給電システム２の構成要素において、非接触給電システム１の構成要素と同様の構成要素には、同一の符号を付与して説明する。
【００８５】
送電装置１０は、第１の実施形態の非接触給電システム１を構成する送電装置１０である。従って、送電装置１０に関する詳細な説明は省略する。
【００８６】
通信装置４０は、第１の実施形態の非接触給電システム１を構成する通信装置２０と同様に、送電装置１０から送電された電力を受電し、受電した電力を二次電池に充電する。
また、通信装置４０は、第１の実施形態の非接触給電システム１を構成する通信装置２０と同様に、受電した電力または二次電池に充電されている電力を使用して、送電装置１０との間で無線通信を行う。また、通信装置４０は、第１の実施形態の非接触給電システム１を構成する通信装置２０と同様に、受電した電力または二次電池に充電されている電力を使用して、不図示のＮＦＣ通信装置（例えば、ＮＦＣ通信装置３０）との間で近距離無線通信を行う。従って、通信装置４０も、第１の実施形態の非接触給電システム１を構成する通信装置２０と同様に、無線通信（例えば、ブルートゥース（Ｂｌｕｅｔｏｏｔｈ（登録商標））などの短距離無線通信）の機能と、近距離無線通信（ＮＦＣ通信）の機能とを備えている通信装置（受電装置であるとも言える）である。
【００８７】
なお、通信装置４０も、第１の実施形態の非接触給電システム１を構成する通信装置２０と同様に、パーソナルコンピュータ（ＰＣ）、携帯電話、携帯通信端末（いわゆる、スマートフォン）、タブレット端末など、受電した電力を使用して様々な機能を実現する端末装置の一部として構成されてもよい。
【００８８】
通信装置４０は、受電コイル４１と、ＮＦＣコイル２２と、通信部２３と、受電処理部２４と、充電制御部２５と、ＮＦＣ回路２６と、二次電池２７と、スイッチ２８と、を含んで構成される。
【００８９】
受電コイル４１は、第１の実施形態の非接触給電システム１を構成する通信装置２０に備えた受電コイル２１と同様に、送電装置１０から送電された電力を受電し、受電した電力を、受電処理部２４に供給する受電部である。また、受電コイル４１は、第１の実施形態の非接触給電システム１を構成する通信装置２０に備えたＮＦＣコイル２２と同様に、不図示のＮＦＣ通信装置から伝送されたＮＦＣ通信を行う際に必要な電力を受電し、受電した電力を、スイッチ２８を介してＮＦＣ回路２６に供給する。また、受電コイル４１は、第１の実施形態の非接触給電システム１を構成する通信装置２０に備えたＮＦＣコイル２２と同様に、ＮＦＣ回路２６がＮＦＣ通信を行う際のアンテナとして用いられる。すなわち、受電コイル４１は、第１の実施形態の非接触給電システム１を構成する通信装置２０に備えた受電コイル２１とＮＦＣコイル２２との両方の機能を有するコイルである。なお、受電コイル４１における電力の受電方法やアンテナとしての機能は、第１の実施形態の非接触給電システム１を構成する通信装置２０に備えた受電コイル２１およびＮＦＣコイル２２と同様であるため、詳細な説明は省略する。
【００９０】
通信部２３、受電処理部２４、充電制御部２５、および二次電池２７のそれぞれは、第１の実施形態の非接触給電システム１を構成する通信装置２０に備えた対応するそれぞれの構成要素である。従って、通信部２３、受電処理部２４、充電制御部２５、および二次電池２７のそれぞれに関する詳細な説明は省略する。
【００９１】
ＮＦＣ回路２６は、第１の実施形態の非接触給電システム１を構成する通信装置２０に備えたＮＦＣ回路２６である。ただし、上述したように、第２の実施形態の非接触給電システム２は、送電装置１０からワイヤレス電力伝送によって送電された電力の受電と、ＮＦＣ通信装置３０からワイヤレス電力伝送によって送電されたＮＦＣ通信を行う際に必要な電力とを、同じ受電コイルで受電する構成の非接触給電システムである。このため、第２の実施形態の非接触給電システム２を構成する通信装置４０に備えたＮＦＣ回路２６は、受電コイル４１が受電し、スイッチ２８を介して供給された電力を使用して動作し、ＮＦＣ通信における信号処理を行う。言い換えれば、第２の実施形態の非接触給電システム２を構成する通信装置４０に備えたＮＦＣ回路２６は、ＮＦＣ回路２６に電力を供給するコイルが、第１の実施形態の非接触給電システム１を構成する通信装置２０に備えたＮＦＣ回路２６と異なるのみである。従って、ＮＦＣ回路２６に関する詳細な説明は省略する。
【００９２】
スイッチ２８は、第１の実施形態の非接触給電システム１を構成する通信装置２０に備えたスイッチ２８である。ただし、第２の実施形態の非接触給電システム２を構成する通信装置４０に備えたスイッチ２８は、充電制御部２５からの制御に応じて、受電コイル４１とＮＦＣ回路２６とにおける電気的な接続を切り替える。より具体的には、通信装置４０が送電装置１０から送電された電力を二次電池２７に充電する場合、スイッチ２８が充電制御部２５によってＯＦＦ状態に制御されることによって、受電コイル４１とＮＦＣ回路２６との電気的な接続が遮断され、受電コイル４１が二次電池２７を充電するための強い電力を受電している場合でも、ＮＦＣ回路２６の電圧が強い電力によって急激に上昇して破壊されてしまう危険性を回避することができる。また、通信装置４０が不図示のＮＦＣ通信装置との間でＮＦＣ通信をする場合、スイッチ２８が充電制御部２５によってＯＮ状態に制御されることによって、受電コイル４１とＮＦＣ回路２６とが電気的に接続され、ＮＦＣ回路２６が、受電コイル４１が受電して供給した電力を使用して動作する。そして、ＮＦＣ回路２６は、ＮＦＣ通信を行う際のアンテナとして受電コイル４１を用いた場合には、受電コイル４１から入力されるＮＦＣ通信における種々の情報やデータなどに対して信号処理を行うことができる。
【００９３】
ここで、通信装置４０におけるＮＦＣ通信について説明する。図５は、本発明の第２の実施形態の非接触給電システム２を構成する通信装置４０における近距離無線通信（ＮＦＣ通信）時の概略構成を示したブロック図である。図５には、非接触給電システム２を構成する通信装置４０が、ＮＦＣ通信装置３０との間で近距離無線通信（ＮＦＣ通信）を行っている状態を示している。ただし、通信装置４０は、上述したように、受電コイル４１を、ＮＦＣ通信を行う際のアンテナとして用いる。
【００９４】
ＮＦＣ通信装置３０は、第１の実施形態の非接触給電システム１を構成する通信装置２０とＮＦＣ通信を行ったＮＦＣ通信装置３０である。従って、ＮＦＣ通信装置３０に関する詳細な説明は省略する。
【００９５】
ＮＦＣ通信装置３０は、第１の実施形態の非接触給電システム１を構成する通信装置２０とＮＦＣ通信を行ったときと同様に、非接触（ワイヤレス）でＮＦＣ通信を行う際に必要な電力を送電（ワイヤレス電力伝送）すると共に、ＮＦＣ通信における種々の情報やデータを送受信する。通信装置４０に備えたＮＦＣ回路２６は、上述したように、ＮＦＣ通信装置３０から送電され、受電コイル４１が受電した電力を使用してＮＦＣ通信装置３０との間で無線通信を行う。このため、充電制御部２５は、図５に示したように、スイッチ２８をＯＦＦ状態に制御する。これにより、受電コイル４１が受電した電力や、ＮＦＣ通信における種々の情報やデータが、スイッチ２８を介して受電コイル４１からＮＦＣ回路２６に伝達される。
【００９６】
ＮＦＣ通信装置３０は、通信装置４０が近づくと、不図示のＮＦＣ送電コイルによって磁界を形成させ、不図示のＮＦＣ送電コイルによって発生させた磁界の中に存在する通信装置４０に、電磁波として電力を送電する。これにより、通信装置４０では、受電コイル４１が、ＮＦＣ通信装置３０が形成した磁界による電磁誘導に応じた誘導電流を、ＮＦＣ通信装置３０が送電した電力として受電して、スイッチ２８介してＮＦＣ回路２６に供給する。これにより、ＮＦＣ回路２６は、受電コイル４１からスイッチ２８を介して供給された電力を使用して動作することができるようになる。そして、ＮＦＣ通信装置３０は、通信装置４０に備えたＮＦＣ回路２６との間でのＮＦＣ通信を行う。
【００９７】
このようにして、ＮＦＣ通信装置３０は、近づいた通信装置４０に対して電力を送電すると共に、送電した電力を使用して動作するＮＦＣ回路２６との間でＮＦＣ通信を行う。
なお、本発明の一態様においては、ＮＦＣ通信装置３０（つまり、ＮＦＣ通信部３１）が通信装置４０（つまり、ＮＦＣ回路２６）との間でＮＦＣ通信を行うための構成や制御方法、ＮＦＣ通信において送受信する情報やデータなどの形式や通信方法および信号処理に関しては、特に規定しない。
【００９８】
次に、第２の実施形態の非接触給電システム２において送電装置１０から送電された電力を二次電池２７に充電する際の充電処理について説明する。第２の実施形態の非接触給電システム２における充電処理は、図３に示した、第１の実施形態の非接触給電システム１における充電処理と同様である。このため、第２の実施形態の非接触給電システム２における充電処理に関する詳細な説明は省略する。
【００９９】
このような構成および処理によって、第２の実施形態の非接触給電システム２でも、第１の実施形態の非接触給電システム１と同様に、送電装置１０が、ワイヤレス電力送電範囲よりも無線信号の到達距離（通信距離）が長い通信規格（例えば、ＢＬＥ通信）によって、ワイヤレス電力送電範囲外に存在する通信装置４０に、送電情報を送信する。これにより、第２の実施形態の非接触給電システム２でも、第１の実施形態の非接触給電システム１と同様に、送電装置１０が二次電池２７を充電するための強い電力をすでに発生させている場合でも、通信装置４０（より具体的には、充電制御部２５）は、受信した送電情報に基づいて、送電装置１０が強い電力を発生させているか否かを事前に確認することができる。このことにより、第２の実施形態の非接触給電システム２でも、第１の実施形態の非接触給電システム１と同様に、充電制御部２５が、事前に確認した結果に基づいて、通信装置４０が送電装置１０のワイヤレス電力送電範囲内に入る前に、ＮＦＣ回路２６が破壊されてしまう危険性を回避する状態（スイッチ２８がＯＦＦ状態）に制御することができる。
【０１００】
なお、第１の実施形態の非接触給電システム１（第２の実施形態の非接触給電システム２でも同様）では、充電制御部２５が、他の通信装置や受電装置が送信した充電中情報を受信しておらず、つまり、他の通信装置や受電装置が充電処理を行っておらず、通信装置２０が送電装置１０のワイヤレス電力送電範囲外に出た後に、スイッチ２８を、ＮＦＣ回路２６がＮＦＣ通信を行うことができるＯＮ状態に制御する構成について説明した。しかし、ＮＦＣ回路２６がＮＦＣ通信を行うことができる状態にする際の制御は、他の通信装置や受電装置が送信した充電中情報を受信したか否かを確認した結果に基づいて行う構成に限定されるものではない。例えば、送電装置１０が送電している電力の大きさ（電力レベル）を確認してから、ＮＦＣ回路２６がＮＦＣ通信を行うことができる状態に制御する構成にすることもできる。より具体的には、充電制御部２５が、送電装置１０が送電している電力レベルが予め定めた電力レベル以上である場合に、ＮＦＣ回路２６が破壊されてしまう危険性を回避することができるＯＦＦ状態にスイッチ２８を制御し、送電装置１０が送電している電力レベルが予め定めた電力レベル以下になっている場合に、ＮＦＣ回路２６がＮＦＣ通信を行うことができるＯＮ状態にスイッチ２８を制御する構成にすることもできる。なお、送電装置１０が送電している電力の大きさ（電力レベル）を確認する方法としては、充電制御部２５が、通信部２３が受信した送電情報に基づいて確認する方法でもよいが、受電コイル４１が受電した実際の電力の大きさ（電力レベル）を確認する方法であってもよい。充電制御部２５が、受電コイル４１が受電した実際の電力の大きさ（電力レベル）を確認する方法であれば、仮に通信部２３が送電情報を受信していなかった場合でも、ＮＦＣ回路２６が破壊されてしまう危険性を回避することができる。
【０１０１】
＜第３の実施形態＞
次に、第２の実施形態の非接触給電システムについて説明する。なお、第３の実施形態の非接触給電システムの概略構成は、図１に示した第１の実施形態の非接触給電システム１または図４に示した第２の実施形態の非接触給電システム２の概略構成と同様である。
従って、第３の実施形態の非接触給電システムの概略構成に関する詳細な説明は省略する。そして、以下の説明においては、第３の実施形態の非接触給電システムの構成が、図１に示した第１の実施形態の非接触給電システム１の概略構成であるものとし、同一の符号を用いて、第３の実施形態の非接触給電システムにおける充電処理（以下、「第２の充電処理」という）について説明する。
【０１０２】
図６は、本発明の第３の実施形態の非接触給電システム１において充電の処理（第２の充電処理）を行う際の処理手順を示したフローチャートである。なお、以下の説明においても、図３に示した第１の実施形態の非接触給電システム１における充電処理と同様に、送電装置１０に備えた通信部１１と、通信装置２０に備えた通信部２３とが、ＩＥＥＥ８０２．１５．１  バージョン４．０（ＢＬＥ：Ｂｌｕｅｔｏｏｔｈ（登録商標）  Ｌｏｗ  Ｅｎｅｒｇｙ）規格に準じた短距離無線通信（ＢＬＥ通信）を行うものとして説明する。また、以下の説明においても、図３に示した第１の実施形態の非接触給電システム１における充電処理と同様に、送電装置１０に備えた通信部１１が、定期的に情報を送信し続けるブロードキャスト通信方式で、送電情報を定期的に送信しているものとして説明する。
【０１０３】
通信装置２０が起動し、二次電池２７への充電動作を行っていないとき、充電制御部２５は、第１の実施形態の非接触給電システム１と同様に、スイッチ２８をＯＮ状態に制御している。その後、充電制御部２５は、第２の充電処理を開始する。第２の充電処理においては、まず、充電制御部２５は、第１の実施形態の非接触給電システム１における充電処理と同様に、通信部２３を制御して、送電装置１０がＢＬＥ通信によって送信した送電情報を受信したか否かを確認する（ステップＳ２０１）。
【０１０４】
ステップＳ２０１の確認の結果、通信部２３が、送電装置１０が送信した送電情報を受信していない場合（ステップＳ２０１の“ＮＯ”）、充電制御部２５は、第１の実施形態の非接触給電システム１における充電処理と同様に、スイッチ２８のＯＮ状態を維持すると共に、ステップＳ２０１に戻って、ステップＳ２０１における送電装置１０が送信した送電情報を受信したか否かの確認を繰り返す。
【０１０５】
一方、ステップＳ２０１の確認の結果、通信部２３が、送電装置１０が送信した送電情報を受信した場合（ステップＳ２０１の“ＹＥＳ”）、充電制御部２５は、第１の実施形態の非接触給電システム１における充電処理と同様に、スイッチ２８をＯＦＦ状態に制御する（ステップＳ２０２）。これにより、通信装置２０では、第１の実施形態の非接触給電システム１と同様に、ＮＦＣコイル２２が仮に強い電力を受電した場合でも、ＮＦＣ回路２６が破壊されてしまう危険性を回避することができる。
【０１０６】
続いて、充電制御部２５は、第１の実施形態の非接触給電システム１における充電処理と同様に、二次電池２７の充電を行うか否かを判定する（ステップＳ２０３）。ステップＳ２０３の判定の結果、二次電池２７の充電を行わないと判定した場合（ステップＳ２０３の“ＮＯ”）、充電制御部２５は、第１の実施形態の非接触給電システム１における充電処理と同様に、ステップＳ２０６に進む。
【０１０７】
一方、ステップＳ２０３の判定の結果、二次電池２７の充電を行うと判定した場合（ステップＳ２０３の“ＹＥＳ”）、充電制御部２５は、第１の実施形態の非接触給電システム１における充電処理と同様に、二次電池２７の充電を開始する（ステップＳ２０４）。
このとき、充電制御部２５は、第１の実施形態の非接触給電システム１における充電処理と同様に、通信部２３を制御して、充電中であることを表す充電中情報を、ＢＬＥ通信によって送電装置１０に送信する。これにより、充電制御部２５は、第１の実施形態の非接触給電システム１における充電処理と同様に、送電装置１０および送電装置１０のワイヤレス電力送電範囲内に存在する他の通信装置や受電装置に、二次電池２７への充電を行っている通信装置２０が存在することを通知する。
【０１０８】
続いて、充電制御部２５は、第１の実施形態の非接触給電システム１における充電処理と同様に、二次電池２７の充電が完了したか否かを判定する（ステップＳ２０５）。ステップＳ２０５の判定の結果、二次電池２７の充電が完了していないと判定した場合（ステップＳ２０５の“ＮＯ”）、充電制御部２５は、第１の実施形態の非接触給電システム１における充電処理と同様に、スイッチ２８のＯＦＦ状態を維持すると共に、ステップＳ２０５に戻って、ステップＳ２０５における二次電池２７の充電が完了したか否かの判定を繰り返す。
【０１０９】
一方、ステップＳ２０５の判定の結果、二次電池２７の充電が完了したと判定した場合（ステップＳ２０５の“ＹＥＳ”）、充電制御部２５は、第１の実施形態の非接触給電システム１における充電処理と同様に、二次電池２７の充電を終了する。そして、二次電池２７の充電を終了した後、またはステップＳ２０３の判定の結果、二次電池２７の充電を行わないと判定した場合（ステップＳ２０３の“ＮＯ”）、充電制御部２５は、第１の実施形態の非接触給電システム１における充電処理と同様に、通信部２３を制御して、他の通信装置や受電装置がＢＬＥ通信によって送電装置１０に送信した充電中情報を受信したか否かを確認する（ステップＳ２０６）。
【０１１０】
ステップＳ２０６の確認の結果、通信部２３が、他の通信装置や受電装置が送信した充電中情報を受信した場合（ステップＳ２０６の“ＹＥＳ”）、充電制御部２５は、第１の実施形態の非接触給電システム１における充電処理と同様に、スイッチ２８のＯＦＦ状態を維持すると共に、ステップＳ２０６に戻って、ステップＳ２０６における他の通信装置や受電装置が送信した充電中情報を受信したか否かの確認を繰り返す。
【０１１１】
一方、ステップＳ２０６の確認の結果、通信部２３が、他の通信装置や受電装置が送信した充電中情報を受信していない場合（ステップＳ２０６の“ＮＯ”）、充電制御部２５は、送電装置１０が送電している電力レベルが、予め定めた電力レベル以下になっているか否かを確認する（ステップＳ２０７）。このステップＳ２０７における送電装置１０が送電している電力レベルが予め定めた電力レベル以下になっているか否かの確認において充電制御部２５は、例えば、受電処理部２４から供給された電力が、予め定めた電力レベル以下になっているか否かを確認する。ここで、予め定めた電力レベルは、ＮＦＣ回路２６が破壊されてしまう危険性がないと判断することができる電力レベルである。つまり、ステップＳ２０７において、充電制御部２５は、送電装置１０が送電している電力レベルが、ＮＦＣ回路２６が破壊されてしまう危険性がない電力レベルであるか否かを確認する。
【０１１２】
なお、送電装置１０が、送電している電力レベル（電圧値や電流値などを含む）を表す情報を送電情報に含めて送信している場合、ステップＳ２０７において充電制御部２５は、通信部２３が受信した送電情報に基づいて、送電装置１０が送電している電力レベルが予め定めた電力レベル以下になっているか否かを確認してもよい。
【０１１３】
ステップＳ２０７の確認の結果、送電装置１０が送電している電力レベルが予め定めた電力レベル以下でない場合（ステップＳ２０７の“ＮＯ”）、充電制御部２５は、スイッチ２８のＯＦＦ状態を維持すると共に、ステップＳ２０７に戻って、ステップＳ２０７における送電装置１０が送電している電力レベルが予め定めた電力レベル以下になっているか否かの確認を繰り返す。なお、このとき、充電制御部２５は、送電装置１０に電力の送電の停止を要求してもよい。
【０１１４】
一方、ステップＳ２０７の確認の結果、送電装置１０が送電している電力レベルが予め定めた電力レベル以下である場合（ステップＳ２０７の“ＹＥＳ”）、充電制御部２５は、スイッチ２８をＯＮ状態に制御する（ステップＳ２０８）。これにより、通信装置２０では、ＮＦＣコイル２２およびＮＦＣ回路２６によるＮＦＣ通信を行うことができる状態になる。つまり、充電制御部２５は、第１の実施形態の非接触給電システム１における充電処理のように、通信装置２０が送電装置１０のワイヤレス電力送電範囲外に出るのを待たなくても、ＮＦＣ回路２６が破壊されてしまう危険性を回避した上で、スイッチ２８を、ＮＦＣコイル２２およびＮＦＣ回路２６によるＮＦＣ通信を行うことができる状態に制御することができる。
【０１１５】
続いて、充電制御部２５は、第１の実施形態の非接触給電システム１における充電処理と同様に、通信装置２０の動作を停止する（通信装置２０の電源をＯＦＦする）か否かを判定する（ステップＳ２０９）。
【０１１６】
ステップＳ２０９の判定の結果、通信装置２０の電源をＯＦＦしないと判定した場合（ステップＳ２０８の“ＮＯ”）、充電制御部２５は、第１の実施形態の非接触給電システム１における充電処理と同様に、ステップＳ２０１に戻って、第２の充電処理を繰り返す。
【０１１７】
一方、ステップＳ２０８の判定の結果、通信装置２０の電源をＯＦＦすると判定した場合（ステップＳ２０８の“ＹＥＳ”）、充電制御部２５は、第１の実施形態の非接触給電システム１における充電処理と同様に、通信装置２０の動作を停止して、第２の充電処理を終了する。
【０１１８】
このような構成および処理によって、第３の実施形態の非接触給電システム１でも、第１の実施形態の非接触給電システム１および第２の実施形態の非接触給電システム２と同様に、送電装置１０が、ワイヤレス電力送電範囲よりも無線信号の到達距離（通信距離）が長い通信規格（例えば、ＢＬＥ通信）によって、ワイヤレス電力送電範囲外に存在する通信装置２０に、送電情報を送信する。これにより、第３の実施形態の非接触給電システム１でも、第１の実施形態の非接触給電システム１および第２の実施形態の非接触給電システム２と同様に、送電装置１０が二次電池２７を充電するための強い電力をすでに発生させている場合でも、通信装置２０（より具体的には、充電制御部２５）は、受信した送電情報に基づいて、送電装置１０が強い電力を発生させているか否かを事前に確認することができる。このことにより、第３の実施形態の非接触給電システム１でも、第１の実施形態の非接触給電システム１および第２の実施形態の非接触給電システム２と同様に、充電制御部２５が、事前に確認した結果に基づいて、通信装置２０が送電装置１０のワイヤレス電力送電範囲内に入る前に、ＮＦＣ回路２６が破壊されてしまう危険性を回避する状態（スイッチ２８がＯＦＦ状態）に制御することができる。
【０１１９】
しかも、第３の実施形態の非接触給電システム１では、第２の充電処理（より具体的には、図６に示したステップＳ２０７の処理）によって、送電装置１０が送電している電力レベルが予め定めた電力レベル（ＮＦＣ回路２６が破壊されてしまう危険性がないと判断することができる電力レベル）以下になっているか否かを確認する。このため、第３の実施形態の非接触給電システム１では、第１の実施形態の非接触給電システム１における充電処理のように、通信装置２０が送電装置１０のワイヤレス電力送電範囲外に出るのを待たずに、ＮＦＣ回路２６が破壊されてしまう危険性を回避した上で、より早く、スイッチ２８をＮＦＣコイル２２およびＮＦＣ回路２６によるＮＦＣ通信を行うことができる状態に制御することができる。
【０１２０】
＜第４の実施形態＞
以下、本発明の第４の実施形態について、図面を参照して説明する。図７は、本発明の第４の実施形態における非接触給電システムの概略構成を示したブロック図である。図７に示した第４の実施形態の非接触給電システム３は、送電＋ＮＦＣ通信装置５０と、通信装置２０と、を含んで構成される。図７に示した第４の実施形態の非接触給電システム３は、図１に示した第１の実施形態の非接触給電システム１を構成する送電装置１０が、送電＋ＮＦＣ通信装置５０に代わった構成である。
【０１２１】
図７には、非接触給電システム３を構成する送電＋ＮＦＣ通信装置５０から送電された電力を、非接触給電システム３を構成する通信装置２０が受電している状態を示している。第４の実施形態の非接触給電システム３は、送電＋ＮＦＣ通信装置５０が、ワイヤレス電力伝送による電力の送電と、ＮＦＣ通信とを行う構成の非接触給電システムである。従って、通信装置２０は、送電＋ＮＦＣ通信装置５０からワイヤレス電力伝送によって送電された電力を受電すると共に、同じ送電＋ＮＦＣ通信装置５０との間でのＮＦＣ通信とを行う。なお、図７に示した第４の実施形態の非接触給電システム３の構成要素には、図１に示した第１の実施形態の非接触給電システム１の構成要素、および図２に示した第１の実施形態の非接触給電システム１を構成する通信装置２０がＮＦＣ通信を行う際の構成要素と同様の構成要素も含まれている。従って、非接触給電システム３の構成要素において、非接触給電システム１の構成要素と同様の構成要素には、同一の符号を付与して詳細な説明は省略する。
【０１２２】
通信装置２０は、第１の実施形態の非接触給電システム１を構成する通信装置２０である。従って、通信装置２０および通信装置２０に備えたそれぞれの構成要素に関する詳細な説明は省略する。
【０１２３】
送電＋ＮＦＣ通信装置５０は、非接触（ワイヤレス）で電力を送電（ワイヤレス電力伝送）するワイヤレス電力伝送装置である。また、送電＋ＮＦＣ通信装置５０は、ＮＦＣ通信を行う際に必要な電力を送電（ワイヤレス電力伝送）すると共に、ＮＦＣ通信における種々の情報やデータを送受信する通信装置でもある。送電＋ＮＦＣ通信装置５０は、通信部１１と、ＮＦＣ通信部３１と、を含んで構成される。
【０１２４】
通信部１１は、図１に示した第１の実施形態の非接触給電システム１を構成する送電装置１０に備えた通信部１１である。従って、通信部１１に関する詳細な説明は省略する。
【０１２５】
ＮＦＣ通信部３１は、図２に示した第１の実施形態の非接触給電システム１を構成する通信装置２０がＮＦＣ通信を行うＮＦＣ通信装置３０に備えたＮＦＣ通信部３１である。
従って、ＮＦＣ通信部３１に関する詳細な説明は省略する。
【０１２６】
次に、第４の実施形態の非接触給電システム３において送電＋ＮＦＣ通信装置５０から送電された電力を二次電池２７に充電する際の処理（以下、「第３の充電処理」という）について説明する。図８は、本発明の第４の実施形態の非接触給電システム３において充電の処理（第３の充電処理）を行う際の処理手順を示したフローチャートである。なお、以下の説明においても、図３に示した第１の実施形態の非接触給電システム１における充電処理と同様に、送電＋ＮＦＣ通信装置５０に備えた通信部１１と、通信装置２０に備えた通信部２３とが、ＩＥＥＥ８０２．１５．１  バージョン４．０（ＢＬＥ：Ｂｌｕｅｔｏｏｔｈ（登録商標）  Ｌｏｗ  Ｅｎｅｒｇｙ）規格に準じた短距離無線通信（ＢＬＥ通信）を行うものとして説明する。また、以下の説明においても、図３に示した第１の実施形態の非接触給電システム１における充電処理と同様に、送電＋ＮＦＣ通信装置５０に備えた通信部１１が、定期的に情報を送信し続けるブロードキャスト通信方式で、送電情報を定期的に送信しているものとして説明する。
【０１２７】
通信装置２０が起動し、二次電池２７への充電動作を行っていないとき、充電制御部２５は、第１の実施形態の非接触給電システム１と同様に、スイッチ２８をＯＮ状態に制御している。その後、充電制御部２５は、第３の充電処理を開始する。第３の充電処理においては、まず、充電制御部２５は、第１の実施形態の非接触給電システム１における充電処理と同様に、通信部２３を制御して、送電＋ＮＦＣ通信装置５０がＢＬＥ通信によって送信した送電情報を受信したか否かを確認する（ステップＳ３０１）。
【０１２８】
ステップＳ３０１の確認の結果、通信部２３が、送電＋ＮＦＣ通信装置５０が送信した送電情報を受信していない場合（ステップＳ３０１の“ＮＯ”）、充電制御部２５は、第１の実施形態の非接触給電システム１における充電処理と同様に、スイッチ２８のＯＮ状態を維持すると共に、ステップＳ３０１に戻って、ステップＳ３０１における送電＋ＮＦＣ通信装置５０が送信した送電情報を受信したか否かの確認を繰り返す。
【０１２９】
一方、ステップＳ３０１の確認の結果、通信部２３が、送電＋ＮＦＣ通信装置５０が送信した送電情報を受信した場合（ステップＳ３０１の“ＹＥＳ”）、充電制御部２５は、第１の実施形態の非接触給電システム１における充電処理と同様に、スイッチ２８をＯＦＦ状態に制御する（ステップＳ３０２）。これにより、通信装置２０では、第１の実施形態の非接触給電システム１と同様に、ＮＦＣコイル２２が仮に強い電力を受電した場合でも、ＮＦＣ回路２６が破壊されてしまう危険性を回避することができる。
【０１３０】
続いて、充電制御部２５は、第１の実施形態の非接触給電システム１における充電処理と同様に、二次電池２７の充電を行うか否かを判定する（ステップＳ３０３）。ステップＳ３０３の判定の結果、二次電池２７の充電を行わないと判定した場合（ステップＳ３０３の“ＮＯ”）、充電制御部２５は、第１の実施形態の非接触給電システム１における充電処理と同様に、ステップＳ３０６に進む。
【０１３１】
一方、ステップＳ３０３の判定の結果、二次電池２７の充電を行うと判定した場合（ステップＳ３０３の“ＹＥＳ”）、充電制御部２５は、第１の実施形態の非接触給電システム１における充電処理と同様に、二次電池２７の充電を開始する（ステップＳ３０４）。
このとき、充電制御部２５は、第１の実施形態の非接触給電システム１における充電処理と同様に、通信部２３を制御して、充電中であることを表す充電中情報をＢＬＥ通信によって送電＋ＮＦＣ通信装置５０に送信し、送電＋ＮＦＣ通信装置５０および送電＋ＮＦＣ通信装置５０のワイヤレス電力送電範囲内に存在する他の通信装置や受電装置に、二次電池２７への充電を行っている通信装置２０が存在することを通知する。
【０１３２】
続いて、充電制御部２５は、二次電池２７の充電が完了したか否か、あるいは送電＋ＮＦＣ通信装置５０による送電が低電力モードであるか否かを判定する（ステップＳ３０５）。ここで、低電力モードとは、送電＋ＮＦＣ通信装置５０が送電している電力の電力レベルが、ＮＦＣ回路２６が破壊されてしまう危険性がないと判断することができる予め定めた低い電力レベル（送電の停止も含む）である状態をいう。この低電力モードは、例えば、送電＋ＮＦＣ通信装置５０（通信装置２０であってもよい）の使用者（ユーザ）の操作によって設定することができる。そして、低電力モードの場合には、二次電池２７の充電が完了していない状態でも、二次電池２７の充電を一旦終了、つまり、二次電池２７の充電を中断して、他の処理（例えば、ＮＦＣ通信）を行うことができる。
【０１３３】
ステップＳ３０５の判定の結果、二次電池２７の充電が完了していない、あるいは送電＋ＮＦＣ通信装置５０による送電が低電力モードではないと判定した場合（ステップＳ３０５の“ＮＯ”）、充電制御部２５は、第１の実施形態の非接触給電システム１における充電処理と同様に、スイッチ２８のＯＦＦ状態を維持すると共に、ステップＳ３０５に戻って、ステップＳ３０５における処理を繰り返す。つまり、充電制御部２５は、二次電池２７の充電が完了したか否か、あるいは送電＋ＮＦＣ通信装置５０による送電が低電力モードであるか否かの判定を繰り返す。
【０１３４】
一方、ステップＳ３０５の判定の結果、二次電池２７の充電が完了したと判定した、あるいは送電＋ＮＦＣ通信装置５０による送電が低電力モードであると判定した場合（ステップＳ３０５の“ＹＥＳ”）、充電制御部２５は、第１の実施形態の非接触給電システム１における充電処理と同様に、二次電池２７の充電を終了する。そして、二次電池２７の充電を終了した後、またはステップＳ３０３の判定の結果、二次電池２７の充電を行わないと判定した場合（ステップＳ３０３の“ＮＯ”）、充電制御部２５は、第１の実施形態の非接触給電システム１における充電処理と同様に、通信部２３を制御して、他の通信装置や受電装置がＢＬＥ通信によって送電＋ＮＦＣ通信装置５０に送信した充電中情報を受信したか否かを確認する（ステップＳ３０６）。
【０１３５】
ステップＳ３０６の確認の結果、通信部２３が、他の通信装置や受電装置が送信した充電中情報を受信した場合（ステップＳ３０６の“ＹＥＳ”）、充電制御部２５は、第１の実施形態の非接触給電システム１における充電処理と同様に、スイッチ２８のＯＦＦ状態を維持すると共に、ステップＳ３０６に戻って、ステップＳ３０６における他の通信装置や受電装置が送信した充電中情報を受信したか否かの確認を繰り返す。
【０１３６】
一方、ステップＳ３０６の確認の結果、通信部２３が、他の通信装置や受電装置が送信した充電中情報を受信していない場合（ステップＳ３０６の“ＮＯ”）、充電制御部２５は、送電＋ＮＦＣ通信装置５０が送電している電力レベルが、予め定めた電力レベル以下になっているか否かを確認する（ステップＳ３０７）。このステップＳ３０７における送電＋ＮＦＣ通信装置５０が送電している電力レベルが予め定めた電力レベル以下になっているか否かの確認の処理は、図６に示した第３の実施形態の非接触給電システム１における第２の充電処理のステップＳ２０７の処理と同様である。
【０１３７】
ステップＳ３０７の確認の結果、送電＋ＮＦＣ通信装置５０が送電している電力レベルが予め定めた電力レベル以下でない場合（ステップＳ３０７の“ＮＯ”）、充電制御部２５は、スイッチ２８のＯＦＦ状態を維持すると共に、ステップＳ３０７に戻って、ステップＳ３０７における送電＋ＮＦＣ通信装置５０が送電している電力レベルが予め定めた電力レベル以下になっているか否かの確認を繰り返す。なお、このとき、充電制御部２５は、図６に示した第３の実施形態の非接触給電システム１における第２の充電処理のステップＳ２０７の処理と同様に、送電＋ＮＦＣ通信装置５０に電力の送電の停止を要求してもよい。
【０１３８】
一方、ステップＳ３０７の確認の結果、送電＋ＮＦＣ通信装置５０が送電している電力レベルが予め定めた電力レベル以下である場合（ステップＳ３０７の“ＹＥＳ”）、充電制御部２５は、スイッチ２８をＯＮ状態に制御する（ステップＳ３０８）。なお、ステップＳ３０７の処理において、スイッチ２８がすでにＯＮ状態である場合、充電制御部２５は、スイッチ２８における現状のＯＮ状態を維持する。これにより、通信装置２０では、ＮＦＣ回路２６が破壊されてしまう危険性を回避した上で、ＮＦＣコイル２２およびＮＦＣ回路２６による送電＋ＮＦＣ通信装置５０との間でのＮＦＣ通信を行うことができる状態になる。
【０１３９】
続いて、充電制御部２５は、送電＋ＮＦＣ通信装置５０との間でのＮＦＣ通信があるか否かを確認する（ステップＳ３０９）。このステップＳ３０９における送電＋ＮＦＣ通信装置５０との間でのＮＦＣ通信があるか否かの確認において充電制御部２５は、例えば、送電＋ＮＦＣ通信装置５０に備えた不図示のＮＦＣ送電コイルによって、ＮＦＣ回路２６が動作するために使用する電力が送電されているか否か、ＮＦＣ通信部３１からＮＦＣ通信によってやり取りする種々の情報やデータが送信されているか否かなどを確認する。そして、充電制御部２５は、ＮＦＣ回路２６が動作するために使用する電力が送電されている、またはＮＦＣ通信部３１からＮＦＣ通信によってやり取りする種々の情報やデータが送信されている場合に、ＮＦＣ通信があると判定する。一方、充電制御部２５は、ＮＦＣ回路２６が動作するために使用する電力が送電されておらず、ＮＦＣ通信部３１からＮＦＣ通信によってやり取りする種々の情報やデータが送信されていない場合に、ＮＦＣ通信がないと判定する。
【０１４０】
ステップＳ３０９の判定の結果、送電＋ＮＦＣ通信装置５０との間でのＮＦＣ通信がないと判定した場合（ステップＳ３０９の“ＮＯ”）、充電制御部２５は、ステップＳ３１１に進む。
【０１４１】
一方、ステップＳ３０９の判定の結果、送電＋ＮＦＣ通信装置５０との間でのＮＦＣ通信があると判定した場合（ステップＳ３０９の“ＹＥＳ”）、充電制御部２５は、ＮＦＣ通信を行う（ステップＳ３１０）。つまり、充電制御部２５は、送電された電力を使用してＮＦＣ回路２６を動作させる。
【０１４２】
続いて、充電制御部２５は、第１の実施形態の非接触給電システム１における充電処理と同様に、通信装置２０の動作を停止する（通信装置２０の電源をＯＦＦする）か否かを判定する（ステップＳ３１１）。
【０１４３】
ステップＳ３１１の判定の結果、通信装置２０の電源をＯＦＦしないと判定した場合（ステップＳ３１１の“ＮＯ”）、充電制御部２５は、第１の実施形態の非接触給電システム１における充電処理と同様に、ステップＳ３０１に戻って、第３の充電処理を繰り返す。これは、充電制御部２５が、ステップＳ３０５の判定の結果に応じて二次電池２７の充電を一旦終了（中断）していた場合には、二次電池２７の充電を開始（再開）することに相当する。
【０１４４】
一方、ステップＳ３１１の判定の結果、通信装置２０の電源をＯＦＦすると判定した場合（ステップＳ３１１の“ＹＥＳ”）、充電制御部２５は、第１の実施形態の非接触給電システム１における充電処理と同様に、通信装置２０の動作を停止して、第３の充電処理を終了する。
【０１４５】
このような構成および処理によって、第４の実施形態の非接触給電システム３でも、第１の実施形態の非接触給電システム１と同様に、送電＋ＮＦＣ通信装置５０が、ワイヤレス電力送電範囲よりも無線信号の到達距離（通信距離）が長い通信規格（例えば、ＢＬＥ通信）によって、ワイヤレス電力送電範囲外に存在する通信装置２０に、送電情報を送信する。これにより、第４の実施形態の非接触給電システム３でも、第１の実施形態の非接触給電システム１と同様に、送電＋ＮＦＣ通信装置５０が二次電池２７を充電するための強い電力をすでに発生させている場合でも、通信装置２０（より具体的には、充電制御部２５）は、受信した送電情報に基づいて、送電＋ＮＦＣ通信装置５０が強い電力を発生させているか否かを事前に確認することができる。このことにより、第４の実施形態の非接触給電システム３でも、第１の実施形態の非接触給電システム１と同様に、充電制御部２５が、事前に確認した結果に基づいて、通信装置２０が送電＋ＮＦＣ通信装置５０のワイヤレス電力送電範囲内に入る前に、ＮＦＣ回路２６が破壊されてしまう危険性を回避する状態（スイッチ２８がＯＦＦ状態）に制御することができる。
【０１４６】
しかも、第４の実施形態の非接触給電システム３では、第３の充電処理（より具体的には、図８に示したステップＳ３０５の処理）によって、二次電池２７の充電を一旦終了（中断）し、送電＋ＮＦＣ通信装置５０が送電している電力レベルが予め定めた電力レベル（ＮＦＣ回路２６が破壊されてしまう危険性がないと判断することができる電力レベル）以下になっている状態で、他の処理を行うことができる。つまり、第４の実施形態の非接触給電システム３では、第１の実施形態の非接触給電システム１における充電処理のように、通信装置２０に備えた二次電池２７の充電が完了するまで待たずに、ＮＦＣ回路２６が破壊されてしまう危険性を回避した上で、ＮＦＣ通信を含む他の処理を行うことができる。
【０１４７】
なお、第４の実施形態の非接触給電システム３では、図７において、送電＋ＮＦＣ通信装置５０から送電された電力を受電すると共にＮＦＣ通信を行う通信装置が、通信装置２０である場合を示した。しかし、送電＋ＮＦＣ通信装置５０から送電された電力を受電すると共にＮＦＣ通信を行う通信装置は、通信装置２０に限定されるものではない。例えば、図４および図５に示した第２の実施形態の非接触給電システム２を構成する通信装置４０が、通信装置２０の代わりに非接触給電システム３を構成して、送電＋ＮＦＣ通信装置５０から送電された電力を受電すると共にＮＦＣ通信を行ってもよい。
【０１４８】
上記に述べたとおり、本発明を実施するための形態によれば、送電装置がワイヤレス電力伝送によって電力を送電することができる範囲よりも無線信号の到達距離（通信距離）が長い通信規格による無線通信によって、非接触給電システムを構成する送電装置と通信装置（受電装置であるとも言える）との間で、充電に関する情報を情報交換する。ここで、充電に関する情報には、送電装置が電力を送電しているか否かの状況を表す情報（送電情報）や、通信装置が二次電池の充電中であるか否かを表す情報（充電中情報）が含まれている。これにより、本発明を実施するための形態では、非接触給電システムを構成する通信装置が、送電装置がワイヤレス電力伝送によって電力を送電することができる範囲外に存在している状態で、送電装置が電力を送電しているか否かを事前に確認することができる。つまり、本発明を実施するための形態では、通信装置に備えた近距離無線通信の回路が破壊されてしまう危険性を回避する送電装置との距離を確保した上で、送電装置が電力を送電しているか否かを事前に確認することができる。このことにより、本発明を実施するための形態では、送電装置が二次電池を充電するための強い電力をすでに発生させている場合でも、事前に確認した結果に基づいて、通信装置が、送電装置がワイヤレス電力伝送によって電力を送電している範囲内に入る前に、通信装置に備えた近距離無線通信の回路の通信装置内の接続を、近距離無線通信の回路が破壊されてしまう危険性を回避することができる接続状態にしておくことができる。これにより、本発明を実施するための形態では、送電装置がワイヤレス電力伝送によって送電された電力を二次電池に充電する際に、通信装置に備えた近距離無線通信の回路が破壊されてしまう危険性を回避することができる。
【０１４９】
なお、本発明を実施するための形態では、通信装置が受電装置であるとも言える場合の構成について説明した。しかし、本発明の考え方に基づいた構成や機能を適用することができる通信装置は、本発明を実施するための形態において説明した構成の通信装置に限定されるものではない。例えば、通信装置は、近距離無線通信を行う機能を備えているが、送電装置が非接触（ワイヤレス）で送電（ワイヤレス電力伝送）した電力を受電する機能を備えていない構成であることも考えられる。より具体的には、例えば、図１に示した第１の実施形態の非接触給電システム１を構成する通信装置２０において、受電コイル２１および受電処理部２４や、充電制御部２５が受電処理部２４から供給された電力の二次電池２７への給電と充電とを制御する機能を備えていない構成であることも考えられる。このような構成の通信装置、つまり、近距離無線通信の機能のみを備えた通信装置においても、送電装置がワイヤレス電力伝送によって電力を送電することができる範囲内に入ってしまった場合には、近距離無線通信用の電力を受電するＮＦＣコイルが強い電力を受電してしまい、受電した電力を近距離無線通信の回路に供給してしまう（通電してしまう）ことによって、近距離無線通信の回路が破壊されてしまうことが考えられる。そこで、近距離無線通信の機能のみを備えた通信装置に本発明の一態様の考え方に基づいた構成や機能を適用することによって、近距離無線通信の機能のみを備えた通信装置においても、本発明の一態様の通信装置と同様の効果を得ることができる。より具体的には、例えば、図１に示した第１の実施形態の非接触給電システム１を構成する通信装置２０におけるスイッチ２８を介してＮＦＣコイル２２が受電した電力をＮＦＣ回路２６に供給する構成と、通信部２３が受信した送電情報に基づいて充電制御部２５がスイッチ２８の開閉（開放と短絡）を制御する機能とを、近距離無線通信の機能のみを備えた通信装置に適用する。これにより、近距離無線通信の機能のみを備えた通信装置が、送電装置がワイヤレス電力伝送によって電力を送電している範囲内に入る前に、近距離無線通信の回路が破壊されてしまう危険性を回避する状態（スイッチ２８がＯＦＦ状態）に制御することができる。このことにより、近距離無線通信の機能のみを備えた通信装置においても、本発明の一態様の通信装置と同様の効果を得ることができる。すなわち、近距離無線通信の機能のみを備えた通信装置においても、本発明の一態様の考え方を適用することによって、近距離無線通信の回路が破壊されてしまう危険性を回避することができる。
【０１５０】
以上、本発明の実施形態について、図面を参照して説明してきたが、具体的な構成はこの実施形態に限定されるものではなく、本発明の趣旨を逸脱しない範囲においての種々の変更も含まれる。
【産業上の利用可能性】
【０１５１】
本発明のいくつかの態様は、ワイヤレス電力伝送によって送電された電力を二次電池に充電する際に、通信装置に備えた近距離無線通信の回路が破壊されてしまう危険性を回避することが必要な通信装置、制御プログラム、および非接触給電システムなどに適用することができる。
【符号の説明】
【０１５２】
１・・・非接触給電システム
１０・・・送電装置
１１・・・通信部（第１の通信部）
２０・・・通信装置
２１・・・受電コイル（受電部）
２２・・・ＮＦＣコイル（受電部，第２の受電部）
２３・・・通信部（第２の通信部，通信部）
２４・・・受電処理部
２５・・・充電制御部（制御部）
２６・・・ＮＦＣ回路（近距離無線通信部）
２７・・・二次電池
２８・・・スイッチ（接続遮断部）
３０・・・ＮＦＣ通信装置
３１・・・ＮＦＣ通信部
２・・・非接触給電システム
４０・・・通信装置
４１・・・受電コイル（受電部，第２の受電部）
５０・・・送電＋ＮＦＣ通信装置（送電装置）
【図１】
0006601990.tif 000002
【図２】
0006601990.tif 000003
【図３】
0006601990.tif 000004
【図４】
0006601990.tif 000005
【図５】
0006601990.tif 000006
【図６】
0006601990.tif 000007
【図７】
0006601990.tif 000008
【図８】
0006601990.tif 000009